(57)【要約】【課題】音声データの聴感上の品質を向上させる収音装置を提供することを目的とする。【解決手段】交換レンズ３０１を装着されたことを検出するコントローラ１３０と、交換レンズ３０１を通して入射した被写体像を撮像して画像データを出力するＣＣＤイメージセンサ１４３と、音声を収音して音声信号を出力するマイクロホン部１１１と、マイクロホン部１１１が出力する音声信号に対し、交換レンズ３０１の検出結果に応じた大きさの広帯域ノイズを加えて出力するデジタル画像・音声処理部１２０と、を備える。【選択図】図６
2013223105.tif 000002
【特許請求の範囲】
【請求項１】
外部機器を装着されたことを検出する検出部と、
音声を収音して音声信号を出力する収音部と、
前記収音部が出力する音声信号に対し、前記検出部の検出結果に応じた大きさのノイズ信号を加えて出力するノイズ加算部と、
を備えた収音装置。
【請求項２】
前記外部機器は、駆動されることで騒音を発生させる機械的な駆動部を備える、
請求項１記載の収音装置。
【請求項３】
交換レンズを装着されたことを検出する検出部と、
前記交換レンズを通して入射した被写体像を撮像して画像データを出力する撮像部と、
音声を収音して音声信号を出力する収音部と、
前記収音部が出力する音声信号に対し、前記検出部の検出結果に応じた大きさのノイズ信号を加えて出力するノイズ加算部と、
を備えた撮像装置。
【発明の詳細な説明】
【技術分野】
【０００１】
ここに開示される技術は、入力される音声信号に各種処理を施すことにより音声信号の品質を向上させる収音装置および撮像装置に関する。
【背景技術】
【０００２】
収音装置を備えた撮像装置において、交換レンズを装着可能なものがある。このような撮像装置において、収音装置が交換レンズの駆動音をノイズとして録音してしまう場合がある。そして、このノイズを低減するための様々な構成が知られている（例えば、特許文献１参照。）。特許文献１は、交換レンズが記憶するノイズデータを取得し、このノイズデータに基づいて、入力音声信号からノイズを除去する構成を開示している。
【先行技術文献】
【特許文献】
【０００３】
【特許文献１】特開２０１１−７７６０４号公報
【発明の概要】
【発明が解決しようとする課題】
【０００４】
近年、撮像装置の回路内で発生するノイズの低減が進んでいる。このため、交換レンズの駆動音のような動作ノイズが録音された場合に、その動作ノイズが聴感上、従来よりも目立つようになってきている。
【０００５】
ここに開示される技術は、音声データの聴感上の品質を向上させる収音装置を提供することを目的とする。
【課題を解決するための手段】
【０００６】
ここに開示される収音装置は、外部機器を装着されたことを検出する検出部と、音声を収音して音声信号を出力する収音部と、収音部が出力する音声信号に対し、検出部の検出結果に応じた大きさのノイズ信号を加えて出力するノイズ加算部と、を備える。
【発明の効果】
【０００７】
ここに開示される技術によれば、音声データの聴感上の品質を向上させる収音装置を提供することができる。
【図面の簡単な説明】
【０００８】
【図１】実施の形態１に係るデジタルカメラの正面斜視図
【図２】実施の形態１に係るデジタルカメラの背面図
【図３】実施の形態１に係るデジタルカメラの電気的構成を示すブロック図
【図４】実施の形態１に係るデジタルカメラの初期動作の流れを示すフローチャート
【図５】実施の形態１に係るデジタルカメラのマスキング設定テーブルを示す図
【図６】実施の形態１に係るデジタルカメラのマスキング設定の具体例を示す図
【図７】実施の形態１に係るデジタルカメラの動画撮影モード時の動作の流れを示すフローチャート
【図８】実施の形態１に係るデジタルカメラの音声記録の動作の流れを示すフローチャート
【発明を実施するための形態】
【０００９】
〔実施の形態１〕
次に、図面を用いて、本発明の実施の形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施の形態では、収音装置を備えた電子機器である撮像装置として、デジタルカメラを例に挙げて説明する。以下の説明では、通常姿勢（以下、横撮り姿勢ともいう）の撮像装置を基準として、被写体に向かう方向を「前方」、被写体の反対に向かう方向を「後方」、鉛直上方を「上方」、鉛直下方を「下方」、被写体に正対した状態における右向きを「右方」、被写体に正対した状態における左向きを「左方」、と表現する。
【００１１】
実施の形態１のデジタルカメラ１００は、マイクロホン部１１１を備え、動画撮影時にマイクロホン部１１１で収音し、画像記録と共に音声記録を行う。以下、デジタルカメラ１００の構成および動作を説明する。
【００１２】
〔１．構成〕
以下、図を用いてデジタルカメラ１００の構成を説明する。
【００１３】
〔１−１．デジタルカメラ１００の構成〕
図１は、デジタルカメラ１００の正面斜視図である。デジタルカメラ１００は、デジタルカメラボディ１０２と交換レンズ３０１とを備える。また、デジタルカメラ１００は、その上面にレリーズ釦１８１および電源スイッチ１８３およびモードダイヤル１８４などの操作部１８０を備える。
【００１４】
また、デジタルカメラ１００は、その上面にマイクロホン部１１１を備える。マイクロホン部１１１は、マイクロホン１１１Ｌおよびマイクロホン１１１Ｒの２つのマイクロホンを含む。このうち、マイクロホン１１１Ｌおよびマイクロホン１１１Ｒはデジタルカメラ１００の本体の上面に、左右方向に並んで位置する。
【００１５】
図２は、デジタルカメラ１００の背面構成図である。デジタルカメラ１００は、その背面に中央釦１８５および十字釦１８６などの操作部１８０を備える。また、デジタルカメラ１００は、その背面に表示部１９０およびビューファインダー１９１を備える。
【００１６】
図３は、デジタルカメラ１００の電気的構成図である。デジタルカメラ１００は、デジタルカメラボディ１０２と交換レンズ３０１とを備える。デジタルカメラボディ１０２は、画像入力系１４０、音声入力系１１０、デジタル画像・音声処理部１２０、コントローラ１３０、ＲＡＭ１５０、外部記憶媒体１６０、ＲＯＭ１７０、操作部１８０、表示部１９０、ビューファインダー１９１およびスピーカー１９５を備える。
【００１７】
デジタルカメラ１００は、外部から得られた情報から画像情報および音声信号を生成する。画像情報は、画像入力系１４０によって生成される。音声信号は、音声入力系１１０によって生成される。生成された画像情報および音声信号は、Ａ／Ｄ変換され、デジタル画像・音声処理部１２０で各処理が施された後、メモリカード等の外部記憶媒体１６０に記録される。外部記憶媒体１６０に記録された画像情報は、使用者による操作部１８０の操作を受け付けて、表示部１９０および／またはビューファインダー１９１に表示される。外部記憶媒体１６０に記録された音声信号は、使用者による操作部１８０の操作を受け付けて、スピーカー１９５から出力される。
【００１８】
以下、図１から図３に示す各部の詳細を説明する。
【００１９】
画像入力系１４０は、交換レンズ３０１、ＣＣＤイメージセンサ１４３およびＡＦＥ（アナログ・フロント・エンド）１４４を備える。
【００２０】
交換レンズ３０１は、複数のレンズを有する光学系である。交換レンズ３０１は、レンズコントローラ３２０、レンズマウント３３０、フォーカスレンズ３１０およびズームレンズ３１２を含む光学系、フォーカスレンズ駆動部３１１、ズームレンズ駆動部３１３、絞り３１６、絞り駆動部３１７、操作リング３１５、ＤＲＡＭ３２１、フラッシュメモリ３２２等を備えている。
【００２１】
レンズコントローラ３２０は、交換レンズ３０１全体を制御する。レンズコントローラ３２０は、操作リング３１５の使用者による操作を受け付けて、ズームレンズ３１２を駆動させるよう、ズームレンズ駆動部３１３を制御することができる。レンズコントローラ３２０は、ＤＲＡＭ３２１や、フラッシュメモリ３２２に接続されており、必要に応じて情報を書き込んだり、読み出したりすることができる。また、レンズコントローラ３２０は、レンズマウント３３０を介して、コントローラ１３０と通信することができる。尚、コントローラ１３０は、ハードワイヤードな電子回路で構成してもよいし、プログラムを用いたマイクロコンピュータなどで構成してもよい。
【００２２】
レンズマウント３３０は、デジタルカメラボディ１０２が備えるボディマウント３４０と相俟って、交換レンズ３０１およびデジタルカメラボディ１０２が機械的および電気的に接続するための接続部材である。交換レンズ３０１とデジタルカメラボディ１０２とが機械的および電気的に接続されると、レンズコントローラ３２０と、コントローラ１３０とは通信可能な状態となる。
【００２３】
ＤＲＡＭ３２１は、レンズコントローラ３２０による各種制御の際のワークメモリとして使用される。また、フラッシュメモリ３２２は、レンズコントローラ３２０による各種制御の際に使用するプログラムやパラメータ、レンズデータ等を格納している。
【００２４】
フォーカスレンズ３１０は、交換レンズ３０１の光学系に入射されＣＣＤイメージセンサ１４３上に形成される被写体像のフォーカス状態を変化させるためのレンズである。フォーカスレンズ３１０のレンズ構成は何枚でも何群でもよい。フォーカスレンズ駆動部３１１は、レンズコントローラ３２０から通知される制御信号に基づいてフォーカスレンズ３１０を光学系の光軸に沿って進退するように駆動する。尚、フォーカスレンズ駆動部３１１は、例えばステッピングモータ、ＤＣモータ、超音波モータなどにより実現できる。
【００２５】
ズームレンズ３１２は、交換レンズ３０１の光学系で形成される被写体像の倍率を変化させるためのレンズである。ズームレンズ３１２のレンズ構成は何枚でも何群でもよい。ズームレンズ駆動部３１３は、レンズコントローラ３２０から通知される制御信号に基づいてズームレンズ３１２を光学系の光軸に沿って進退するように駆動する。尚、ズームレンズ駆動部３１３は、例えばステッピングモータ、ＤＣモータ、超音波モータなどにより実現できる。
【００２６】
絞り３１６は、複数の機械羽根を開閉可能に構成されている。絞り３１６は、交換レンズ３０１の光学系に入射する光量を調節することができる調節部材である。絞り駆動部３１７は、レンズコントローラ３２０から通知される制御信号に基づいて、絞り３１６の機械羽根の開閉状態を変化させるよう駆動する。尚、絞り駆動部３１７は、例えば、ステッピングモータ、ＤＣモータ、超音波モータなどにより実現できる。
【００２７】
操作リング３１５は、交換レンズ３０１の外面に備わる操作部材である。操作リング３１５は、交換レンズ３０１に対して相対的に回転するように構成されている。操作リング３１５の回転位置や、回転速度は不図示の検出部により検出されて、レンズコントローラ３２０に通知される。レンズコントローラ３２０は、通知された操作リング３１５の回転位置や回転速度に基づいて、ズームレンズ３１２の駆動部に対して駆動制御信号を供給することができる。操作リング３１５の操作によって、ズームレンズ３１２を駆動させるよう、レンズコントローラ３２０はズームレンズ駆動部３１３に駆動制御信号を供給する。
【００２８】
ボディマウント３４０は、交換レンズ３０１が備えるレンズマウント３３０と相俟って、交換レンズ３０１およびデジタルカメラボディ１０２が機械的及び電気的に接続するための接続部材である。交換レンズ３０１とデジタルカメラボディ１０２とが機械的および電気的に接続されると、レンズコントローラ３２０と、コントローラ１３０とは通信可能な状態となる。ボディマウント３４０は、コントローラ１３０から受信した露光同期信号やその他制御信号を、レンズマウント３３０を介してレンズコントローラ３２０に通知する。また、ボディマウント３４０は、レンズマウント３３０を介してレンズコントローラ３２０から受信した信号をコントローラ１３０に通知する。
【００２９】
ＣＣＤイメージセンサ１４３は、交換レンズ３０１を通して形成された被写体像を撮像して画像情報を生成する。ＣＣＤイメージセンサ１４３の受光面には、多数のフォトダイオードが２次元的に（マトリクス状に）配列されている。また、各フォトダイオードに対応して、Ｒ、ＧまたはＢの原色カラーフィルターが配置されている。Ｒ、ＧおよびＢの原色カラーフィルターは、所定の配列構造で配置されている。撮像対象となる被写体からの光は、交換レンズ３０１を通過した後に、ＣＣＤイメージセンサ１４３の受光面に結像される。結像された被写体像は、各フォトダイオードへ入射した光量に応じて、Ｒ、ＧまたはＢに仕分けられたそれぞれの色情報に変換される。その結果、被写体像全体を示す画像情報が生成される。各フォトダイオードは、ＣＣＤイメージセンサ１４３の画素に対応する。しかし、各フォトダイオードから実際に出力される色情報は、Ｒ、Ｇ、Ｂのいずれかの原色情報である。そのため、各画素のそれぞれで発現させるべき色は、後段のデジタル画像・音声処理部１２０において、各画素に対応するフォトダイオードおよび、その周辺のフォトダイオードから出力される原色情報（色、光量）に基づき生成される。なお、ＣＣＤイメージセンサ１４３は、デジタルカメラ１００が撮影モードにあるとき、一定時間ごとに新しいフレームの画像情報を生成することができる。
【００３０】
ＡＦＥ１４４では、ＣＣＤイメージセンサ１４３から読み出された画像情報に対して相関二重サンプリングによる雑音抑圧、アナログゲインコントローラによるＡ／Ｄコンバータの入力レンジ幅への増幅、Ａ／ＤコンバータによるＡ／Ｄ変換が施される。その後、ＡＦＥ１４４は、画像情報をデジタル画像・音声処理部１２０に出力する。
【００３１】
音声入力系１１０は、マイクロホン部１１１およびアナログ音声処理部１１５を備える。マイクロホン部１１１は、マイクロホン１１１Ｌ、１１１Ｒを含む。マイクロホン部１１１は、音響信号を各マイクロホンにより電気信号に変換して、アナログ音声処理部１１５に入力する。アナログ音声処理部１１５は、処理した音声信号をＡ／ＤコンバータによりＡ／Ｄ変換し、デジタル画像・音声処理部１２０に出力する。
【００３２】
デジタル画像・音声処理部１２０は、ＡＦＥ１４４から出力された画像情報およびアナログ音声処理部１１５から出力された音声信号に対して各種の処理を施す。例えば、デジタル画像・音声処理部１２０は、コントローラ１３０からの指示に従って、画像情報に対してガンマ補正やホワイトバランス補正、傷補正、符号化処理等を行う。また、デジタル画像・音声処理部１２０は、コントローラ１３０からの指示に従って、音声信号に対する各種処理を行う。デジタル画像・音声処理部１２０は、ハードワイヤードな電子回路で実現してもよいし、プログラムを実行するマイクロコンピュータなどで実現してもよい。デジタル画像・音声処理部１２０は、コントローラ１３０などと一体的に１つの半導体チップとして実現してもよい。
【００３３】
デジタル画像・音声処理部１２０は、マイクロホン部１１１の出力を演算処理して音響ズーム処理としての指向性合成処理を行う。
【００３４】
表示部１９０は、デジタルカメラ１００の背面に配置される。本実施の形態では、表示部１９０は、液晶ディスプレイである。表示部１９０は、デジタル画像・音声処理部１２０にて処理された画像情報に基づく画像を表示する。表示部１９０が表示する画像には、スルー画像および再生画像などがある。スルー画像は、ＣＣＤイメージセンサ１４３により一定時間ごとに連続的に新たに生成されるフレームの画像である。通常は、デジタルカメラ１００が撮影モードに設定されており、かつ静止画撮影を行っていない待機状態、または動画撮影状態にあるときに、デジタル画像・音声処理部１２０がＣＣＤイメージセンサ１４３の生成した画像情報からスルー画像を生成する。使用者は、表示部１９０に表示されるスルー画像を参照することにより、被写体の構図を確認しながら被写体を撮影できる。再生画像は、デジタルカメラ１００が再生モードにあるときに、デジタル画像・音声処理部１２０により生成される。再生画像は、外部記憶媒体１６０等に記録された高画素の記録画像を、表示部１９０のサイズに合わせて低画素に縮小した画像である。外部記憶媒体１６０に記録される高画素の画像情報は、レリーズ釦１８１が使用者による所定の操作を受け付けた後に、ＣＣＤイメージセンサ１４３が生成した画像情報に基づいてデジタル画像・音声処理部１２０により生成される。スピーカー１９５は、外部記憶媒体１６０に記録された音声信号を出力する。表示部１９０が表示する表示内容は、ビューファインダー１９１が表示することもできる。
【００３５】
コントローラ１３０は、デジタルカメラ１００全体の動作を統括制御する。
【００３６】
ＲＯＭ１７０は、コントローラ１３０が実行するための、オートフォーカス制御（ＡＦ制御）や自動露出制御（ＡＥ制御）、ストロボの発光制御などに関するプログラムの他、デジタルカメラ１００全体の動作を統括制御するためのプログラムを格納している。ＲＯＭ１７０は、デジタルカメラ１００に関する各種条件および設定を記憶する。なお、本実施の形態では、ＲＯＭ１７０は、フラッシュＲＯＭである。
【００３７】
コントローラ１３０は、ハードワイヤードな電子回路で実現してもよいし、プログラムを実行するマイクロコンピュータなどで実現してもよい。また、コントローラ１３０は、デジタル画像・音声処理部１２０などと一体的に１つの半導体チップとして実現してもよい。また、ＲＯＭ１７０は、コントローラ１３０の外部に（コントローラ１３０とは別体として）存在している必要はなく、コントローラ１３０の内部に組み込まれていてもよい。
【００３８】
ＲＡＭ１５０は、デジタル画像・音声処理部１２０およびコントローラ１３０のワークメモリとして機能する。ＲＡＭ１５０は、ＳＤＲＡＭやフラッシュメモリなどで実現できる。ＲＡＭ１５０は、画像情報および音声信号などを記録するための内部メモリとしても機能する。
【００３９】
外部記憶媒体１６０は、内部にフラッシュメモリ等の不揮発性の記録部を備えた外部メモリである。外部記憶媒体１６０は、デジタル画像・音声処理部１２０で処理される画像情報および音声信号などのデータを記録可能である。
【００４０】
操作部１８０は、デジタルカメラ１００の外装に配置される操作釦や操作ダイヤルなどの操作インターフェースの総称である。操作部１８０は、使用者による操作を受け付ける。例えば、図１、図２および図３に示したレリーズ釦１８１、電源スイッチ１８３、モードダイヤル１８４、中央釦１８５および十字釦１８６などがこれにあたる。操作部１８０は、使用者による操作を受け付けると、コントローラ１３０に種々の動作を指示する信号を通知する。
【００４１】
レリーズ釦１８１は、半押し状態と全押し状態の二段階に遷移する押下式釦である。レリーズ釦１８１が使用者により半押しされると、コントローラ１３０は、ＡＦ（Ａｕｔｏ  Ｆｏｃｕｓ）制御および／またはＡＥ（Ａｕｔｏ  Ｅｘｐｏｓｕｒｅ）制御などを実行し、撮影条件を決定する。ＡＦ制御においては、デジタル画像・音声処理部１２０が画像情報の所定領域におけるコントラスト値を算出し、これに基づいてコントローラ１３０が交換レンズ３０１を駆動させ、コントラスト値が最大になるようにフィードバック制御を行う。ＡＦ制御の結果、コントローラ１３０は、ＡＦ制御対象の被写体までの焦点距離を得ることができる。また、ＡＦ制御の結果、交換レンズ３０１は、ＡＦ制御対象の被写体像をＣＣＤイメージセンサ１４３に結像させることができる。続いて、レリーズ釦１８１が使用者により全押しされると、コントローラ１３０は、全押しのタイミングに撮像された画像情報を外部記憶媒体１６０などに記録する。
【００４２】
電源スイッチ１８３は、デジタルカメラ１００の各部への電力供給をＯＮ／ＯＦＦするためのスライド式スイッチである。電源ＯＦＦ時に電源スイッチ１８３が使用者により右方にスライドされると、コントローラ１３０は、デジタルカメラ１００の各部に電力を供給し、各部を起動させる。電源ＯＮ時に電源スイッチ１８３が使用者により左方にスライドされると、コントローラ１３０は、デジタルカメラ１００の各部への電力供給を停止する。
【００４３】
モードダイヤル１８４は、回転式のダイヤルである。モードダイヤル１８４が使用者により回転されると、コントローラ１３０は、デジタルカメラ１００の動作モードを、モードダイヤル１８４の現在の回転位置に対応する動作モードに切り替える。動作モードとは、例えば、オート撮影モード、マニュアル撮影モード、シーン選択モードなどである。なお、オート撮影モード、マニュアル撮影モードおよびシーン選択モードを、総称して撮影モードと呼ぶものとする。
【００４４】
中央釦１８５は、押下式釦である。デジタルカメラ１００が撮影モードあるいは再生モードにあるときに、中央釦１８５が使用者により押下されると、コントローラ１３０は、表示部１９０にメニュー画面を表示する。メニュー画面とは、使用者に様々な撮影条件および再生条件を設定させるための画面である。メニュー画面上で使用者により各種条件の設定項目の値が選択されている状態で中央釦１８５が押下されると、その設定項目がその値に決定される。決定された設定は、ＲＯＭ１７０に記憶される。
【００４５】
十字釦１８６は、上下左右方向に設けられた４つの押下式釦を備える。使用者は、十字釦１８６のいずれかの方向の釦を押下することにより、メニュー画面上に表示される各種条件の設定項目の値を選択することができる。
【００４６】
〔１−２．本発明との対応関係〕
デジタルカメラ１００のデジタルカメラボディ１０２は、本発明の撮像装置の一例である。デジタルカメラ１００の交換レンズ３０１は、本発明の交換レンズの一例である。マイクロホン部１１１は、本発明の収音部の一例である。デジタル画像・音声処理部１２０は、本発明のノイズ加算部の一例である。コントローラ１３０は、本発明の検出部の一例である。フォーカスレンズ駆動部３１１、ズームレンズ駆動部３１３、および絞り駆動部３１７は、本発明の駆動部の一例である。
【００４７】
〔２．動作〕
続いて、本実施の形態におけるデジタルカメラ１００の動作の概要について説明する。交換レンズ３０１が装着された状態で、使用者がデジタルカメラボディ１０２の電源スイッチ１８３を操作することによりデジタルカメラボディ１０２の電源がＯＮ状態にスイッチされると、電力供給とともに、各種初期設定がなされる。
【００４８】
交換レンズ３０１をデジタルカメラボディ１０２に装着した状態で電源がＯＮになった場合の初期動作について図４を用いて説明する。
【００４９】
図４は、デジタルカメラ１００の電源ＯＮ時の撮像準備のための初期動作の流れを示すフローチャートである。
【００５０】
デジタルカメラボディ１０２に交換レンズ３０１を装着した状態で、使用者がデジタルカメラボディ１０２の電源スイッチ１８３をＯＮにすると、デジタルカメラボディ１０２からボディマウント３４０及びレンズマウント３３０を介して、交換レンズ３０１の各部に電力が供給される。
【００５１】
次に、ステップＳ４０１において、コントローラ１３０は、レンズコントローラ３２０に対して、交換レンズ３０１の認証情報を要求する。ここで、交換レンズ３０１の認証情報には、交換レンズの識別情報等、どのような交換レンズが装着されたかに関する情報が含まれる。レンズコントローラ３２０は、コントローラ１３０からのレンズ認証要求に応答する。これにより、コントローラ１３０は、レンズ認証を完了させて、デジタルカメラボディ１０２にどのような交換レンズ３０１が装着されているかを把握することができる。
【００５２】
次に、ステップＳ４０２において、コントローラ１３０は、レンズコントローラ３２０に対して、初期化動作をするよう要求する。これを受けて、レンズコントローラ３２０は、フォーカスレンズ３１０の位置のリセット、ズームレンズ３１２の位置のリセット、絞り３１６の状態のリセット等の初期化動作を行う。そして、レンズコントローラ３２０は、コントローラ１３０に対して、レンズ初期化動作が完了した旨を応答する。これにより、コントローラ１３０は、レンズが初期化されたことを把握することができる。
【００５３】
次に、ステップＳ４０３において、コントローラ１３０は、レンズコントローラ３２０に対して、レンズデータを要求する。レンズデータは、交換レンズ３０１のフラッシュメモリ３２２に格納されている。コントローラ１３０からのレンズデータ要求を受けて、レンズコントローラ３２０は、フラッシュメモリ３２２からレンズデータを読み出す。そして、レンズコントローラ３２０は、読み出したレンズデータを、コントローラ１３０に応答する。ここで、レンズデータとは、レンズ機種、Ｆナンバー、フォーカス制御可能範囲、操作部材に関する情報など、交換レンズ３０１固有の特性値である。以上の動作により、コントローラ１３０は、装着された交換レンズ３０１のレンズデータ取得を完了する。
【００５４】
次に、ステップＳ４０４において、コントローラ１３０は、ステップＳ４０３で取得したレンズ機種のデータに基づいて、動画撮影における音声記録に用いるマスキング設定を行う。マスキング設定の詳細に関しては後で述べることとする。
【００５５】
以上のように、デジタルカメラボディ１０２と、交換レンズ３０１とで必要なデータの要求および応答を実行し、さらにマスキング設定を実行したら、デジタルカメラボディ１０２と交換レンズ３０１は、初期動作を終える。
【００５６】
図５は、ステップＳ４０４のマスキング設定を実行する際に使用されるマスキング設定テーブルを示す図である。図５のマスキング設定テーブルはＲＯＭ１７０に予め用意されている。コントローラ１３０は、ステップＳ４０３で取得したレンズ機種のデータと、ＲＯＭ１７０に予め用意された図５のマスキング設定テーブルとを照らし合わせ、該当のレンズ機種に応じたマスキング設定を選択する。図５の例で言えば、レンズ機種が「レンズ１」である場合には、マスキング設定は「Ａ」を選択する。レンズ機種が「レンズ２」である場合には、マスキング設定は「Ｂ」を選択する。レンズ機種が「レンズ３」である場合には、マスキング設定は「Ｃ」を選択する。以下、同様にして、レンズの機種に応じたマスキング設定を選択する。なお、マスキング設定は共有可とする。すなわち、レンズ機種が「レンズ１０」である場合に、マスキング設定「Ａ」（レンズ機種が「レンズ１」である場合に選択されるマスキング設定と同じ）を選択することも可能である。
【００５７】
図６は、マスキング設定の具体例を示す図である。図６（Ａ）、（Ｂ）および（Ｃ）の３つは、それぞれレンズ機種が異なる場合のマスキング設定について示している。これらは、図５のマスキング設定テーブルにおけるマスキング設定「Ａ」、「Ｂ」および「Ｃ」に対応しているものとする。またこれらの図は、動画記録において収音した音声信号を周波数領域で模式的に表現したグラフであり、横軸は音声信号の周波数で単位は［Ｈｚ］、縦軸は音声信号のレベルで単位は［ｄＢ］である。動画記録の音声信号において、無音時に記録されるノイズをノイズフロアと呼び、そのレベルをＮｆ［ｄＢ］とする。また、動画記録の音声信号において、デジタルカメラボディ１０２に装着された交換レンズ３０１に起因して記録されるノイズをレンズノイズと呼び、そのレベルの周波数軸上でのピーク値をＮＬ［ｄＢ］とする。レンズノイズは、例えば交換レンズ３０１のフォーカスレンズ駆動部３１１がフォーカスレンズ３１０を駆動する際に発生するノイズである。また、レンズノイズは、ズームレンズ３１２の駆動音や、絞り３１６の駆動音等であり得る。ある特定の周波数にピークを持つノイズは、聴感上、耳障りであり、ノイズとして認識され易いことが一般的に知られている。また、ある特定の周波数にピークを持つノイズに、広い周波数帯域に分布する広帯域ノイズ（例えばホワイトノイズ）を重畳すると、広帯域ノイズにマスクされて、特定の周波数にピークを持つノイズが聴感上目立たなくなることが一般的に知られている。広帯域ノイズを重畳して特定の周波数にピークを持つノイズを聴感上目立たなくする処理をマスキング処理と呼ぶ。マスキング処理により特定の周波数にピークを持つノイズが聴感上目立たなくなる効果をマスキング効果と呼ぶ。図６（Ａ）の場合、波形Ａ１では、ＮｆとＮＬとの差、すなわち「ＮＬ−Ｎｆ」が、聴感上目立つノイズとして認識される。これに、あるレベルの広帯域ノイズを重畳すると波形はＡ２となる。波形Ａ２は、広帯域ノイズが重畳された結果、ノイズフロアのレベルがＮｆ’[ｄＢ]となる。波形Ａ２では、Ｎｆ’とＮＬとの差、すなわち「ＮＬ−Ｎｆ’」が、聴感上目立つノイズとして認識される。大小関係は、
（ＮＬ−Ｎｆ’）＜（ＮＬ−Ｎｆ）                              ・・・式（１）
であるため、波形Ａ１に比べて、波形Ａ２のほうが、聴感上、レンズノイズが目立たなくなる。しかしながら、Ｎｆ’を大きくすることには、マスキング効果によるメリットだけでなく、デメリットもある。すなわち、ＳＮ比の低下である。ＳＮ比は大きいほうが、小さな信号まで忠実に記録できるため、音声信号においては、小さな音まで忠実に再現できることになり、高品質となる。しかし、広帯域ノイズを重畳してＮｆ’を大きくするとＳＮ比が低下するので録音品質の低下を招くことになる。したがって、ＳＮ比の観点から言えば、Ｎｆ’の値は、ＮＬの値に応じて出来るだけ小さくすることが望ましい。図６（Ｂ）の場合、ＮＬの値が図６（Ａ）の場合に比べて小さい。そこで、図６（Ａ）で重畳する広帯域ノイズよりも低いレベルの広帯域ノイズを重畳することにより、Ｎｆ’の値を図６（Ａ）の場合よりも小さくしている。この場合でも、式（１）の関係は成立するので、波形Ｂ１に比べて、波形Ｂ２のほうが、聴感上、レンズノイズが目立たなくなる。図６（Ｃ）の場合、ＮＬの値が図６（Ｂ）の場合よりも更に小さい。そこで、図６（Ｂ）で重畳する広帯域ノイズよりも低いレベルの広帯域ノイズを重畳することにより、Ｎｆ’の値を図６（Ｂ）の場合よりも小さくしている。この場合でも、式（１）の関係は成立するので、波形Ｃ１に比べて、波形Ｃ２のほうが、聴感上、レンズノイズが目立たなくなる。なお、もともと（ＮＬ−Ｎｆ）の値が小さく、聴感上、レンズノイズが目立たない場合は、広帯域ノイズを重畳しなくても良い。図６（Ｃ）を例に説明すれば、広帯域ノイズを重畳することなく、Ｎｆ’＝Ｎｆとして、波形Ｃ２を波形Ｃ１と同じにしても良い。ＮＬは、交換レンズ３０１に依存する値であり、その値はレンズ機種により異なる。ＮＬが大きいレンズ機種もあれば、ＮＬが小さいレンズ機種もある。レンズ機種とＮＬとの関係は予め調べることが出来るので、レンズ機種に応じたマスキング処理を予め設定することが出来る。すなわち、ＮＬが大きいレンズ機種に関してはＮｆ’が大きいマスキング処理を設定し、ＮＬが小さいレンズ機種に関してはＮｆ’が小さいマスキング処理を設定するための、マスキング設定テーブルを用意することが可能である。そしてこれにより、レンズノイズが相対的に大きな交換レンズが装着されたときには、相対的に大きなレベルの広帯域ノイズを重畳してノイズフロアの引き上げ幅を大きくし、レンズノイズが相対的に小さな交換レンズが装着されたときには、相対的に小さなレベルの広帯域ノイズを重畳して（場合によっては広帯域ノイズを重畳しない）ノイズフロアの引き上げ幅を小さめにすることが可能である。用意したマスキング設定テーブルは、ＲＯＭ１７０に記憶される。また、レンズ機種が増えた場合など、必要に応じて、マスキング設定テーブルのデータは更新されうる。
【００５８】
続いて、本実施の形態におけるデジタルカメラ１００の動画撮影モード時の動作について説明する。デジタルカメラ１００は、動画撮影モードにおける待機状態または動画撮影中である動画撮影状態において、スルー画像を表示部１９０に表示する。以下では、まず図７を用いて動画撮影モード時の全体的な動作の流れについて説明し、次に図８を用いて動画撮影における音声記録の動作の流れについて説明する。
【００５９】
図７は、デジタルカメラ１００の動画撮影モード時の動作の全体的な流れを示すフローチャートである。モードダイヤル１８４が動画撮影モードを示した状態で、使用者により電源スイッチ１８３が操作されて電源が投入されると、デジタルカメラ１００は初期動作の後に動画撮影モードに入る。ステップＳ５０１の待機状態は、ステップＳ５０１ａのスルー画像表示処理とステップＳ５０１ｂのレンズ状態データ取得処理とを含む。ステップＳ５０１ａにおいて、コントローラ１３０は、表示部１９０に、デジタル画像・音声処理部１２０が出力するスルー画像を表示する。ステップＳ５０１ｂにおいて、コントローラ１３０は、レンズコントローラ３２０に対して、交換レンズ３０１の状態を示すレンズ状態データを要求する。レンズ状態データは、例えば、ズームレンズ３１２による現在の焦点距離情報、フォーカスレンズ３１０の位置情報、絞り３１６の絞り値情報、および、操作リング３１５が操作されたことを示す操作リング操作情報などが含まれる。この要求に応えて、レンズコントローラ３２０は、コントローラ１３０に対して、要求されたレンズ状態データを応答する。ステップＳ５０１は、動画撮影モードにおける待機状態である。
【００６０】
次に、ステップＳ５０２においてコントローラ１３０は、レリーズ釦１８１が押下されたかどうかを判定する。
【００６１】
ステップＳ５０２において、コントローラ１３０が、レリーズ釦１８１が押下されたと判定すると、ステップＳ５０４の動画撮影動作に遷移する。ステップＳ５０４の動画撮影動作は、ステップＳ５０４ｄのレンズ状態データ取得動作とステップＳ５０４ｖの画像記録動作とステップＳ５０４ａの音声記録動作とを含む。ステップＳ５０４の動画撮影動作においては、例えば１フレーム期間分の画像情報および音声信号の記録処理を行う。なお、１フレーム期間とは、動画撮影時のフレームレートの逆数であり、例えばフレームレートが６０フレーム／秒であれば、１フレーム期間は１／６０秒となる。ステップＳ５０４ｄのレンズ状態データ取得動作では、コントローラ１３０は、レンズコントローラ３２０に対して、交換レンズ３０１の状態を示すレンズ状態データを要求する。この要求に応えて、レンズコントローラ３２０は、コントローラ１３０に対して、要求されたレンズ状態データを応答する。コントローラ１３０が取得したレンズ状態データは必要に応じてＲＯＭ１７０に格納される。ステップＳ５０４ｖの画像記録動作については、構成の説明において概略を説明したとおりであり、詳細な説明は省略する。また、ステップＳ５０４ａの音声記録動作の詳細については後述する。
【００６２】
この後、ステップＳ５０５においてコントローラ１３０は、レリーズ釦１８１が押下されたかどうかを判定する。ステップＳ５０５においてコントローラ１３０が、レリーズ釦１８１が押下されていないと判定すると、再びステップＳ５０４に遷移し、次の１フレーム期間分の動画撮影動作を行う。また、コントローラ１３０が、レリーズ釦１８１が押下されたと判定すると、動画撮影動作を終了し、ステップＳ５０１の待機状態に遷移する。このように、動画撮影モードにおいてデジタルカメラ１００は、レリーズ釦１８１が押下されてから再び押下されるまでの間、動画撮影動作を行う。
【００６３】
一方、ステップＳ５０２において、コントローラ１３０が、レリーズ釦１８１が押下されていないと判定すると、ステップＳ５０３の撮影モード判定に遷移する。ステップＳ５０３ではコントローラ１３０が、現在の動作モードが動画撮影モードかどうかを判定する。ステップＳ５０３においてコントローラ１３０が、動作モードが動画撮影モードであると判定すると、動画撮影モードの動作の始点であるステップＳ５０１に戻る。ステップＳ５０３においてコントローラ１３０が、動作モードが動画撮影モードでないと判定すると動画撮影モードの動作を終了する。
【００６４】
図８は、図７のフローチャートに記載の音声記録（ステップＳ５０４ａ）の動作の流れを示すフローチャートである。以下、音声記録の動作の流れについて説明する。
【００６５】
ステップＳ６０１において、アナログ音声処理部１１５は、マイクロホン部１１１が出力する音声信号を受け付け、各種のアナログ信号処理を施した後にデジタル画像・音声処理部１２０に出力する。この時点での音声信号のノイズフロアは、図６のＮｆに相当する。
【００６６】
ステップＳ６０２において、コントローラ１３０は、ＲＯＭ１７０にアクセスし、ＲＯＭ１７０に格納された、レンズ機種とマスキング設定テーブルとから得られるマスキング設定のデータを読み出す。コントローラ１３０は、デジタル画像・音声処理部１２０に対し、読み出したマスキング設定に応じた広帯域ノイズのレベルを通知する。ステップＳ６０７において、デジタル画像・音声処理部１２０は、通知されたレベルの広帯域ノイズをステップＳ６０１で得た音声信号に重畳することによりマスキング処理を行い、外部記憶媒体に記録する（ステップＳ６０９）。マスキング処理を行った後の音声信号のノイズフロアは、図６のＮｆ’に相当する。
【００６７】
以上のように、交換レンズ３０１に応じたマスキング処理を行うことにより、レンズノイズが大きい交換レンズを使用した動画撮影においても、聴感上、レンズノイズが目立たない撮像装置を提供することができる。また、交換レンズ３０１に応じたマスキング処理を行うことにより、レンズノイズが小さい交換レンズを使用した動画撮影においては、音声信号のＳＮ比を必要以上に損なわない撮像装置を提供することができる。
【００６８】
〔３．まとめ〕
以上のように、本実施の形態のデジタルカメラ１００のデジタルカメラボディ１０２は、交換レンズ３０１を装着されたことを検出するコントローラ１３０と、交換レンズ３０１を通して入射した被写体像を撮像して画像データを出力するＣＣＤイメージセンサ１４３と、音声を収音して音声信号を出力するマイクロホン部１１１と、マイクロホン部１１１が出力する音声信号に対し、交換レンズ３０１の検出結果に応じた大きさの広帯域ノイズを加えて出力するデジタル画像・音声処理部１２０と、を備える。
【００６９】
このように、交換レンズ３０１に応じたマスキング処理を行うことにより、レンズノイズが大きい交換レンズを使用した動画撮影においても、聴感上、レンズノイズが目立たない撮像装置を提供することができる。また、交換レンズ３０１に応じたマスキング処理を行うことにより、レンズノイズが小さい交換レンズを使用した動画撮影においては、音声信号のＳＮ比を必要以上に損なわない撮像装置を提供することができる。
【００７０】
〔他の実施の形態〕
本発明は、上記実施の形態に限定されず、種々の実施形態が考えられる。以下、本発明の他の実施の形態についてまとめて記載する。
【００７１】
上記実施の形態において、装着される外部機器を交換レンズとして説明した。すなわち、コントローラ１３０は交換レンズ３０１が装着されたことを検出し、装着された交換レンズのレンズ機種に応じてマスキング処理を行うものとした。しかしながら、交換レンズ以外の外部機器の装着を検出し、外部機器の種類に応じてマスキング処理を行うようにしてもよい。外部機器としては、動作することによって動作ノイズを発生するものであればよく、例えばデジタルカメラ１００を固定し、モータを駆動することによりデジタルカメラ１００をパン、チルトさせることが可能な雲台等が挙げられる。
【００７２】
上記実施の形態において、収音装置を備えた撮像装置としてデジタルカメラ１００を例に挙げて説明した。しかしながら、レンズ交換可能であり、動画撮影（音声記録）が可能な機器であればよい。すなわち、ビデオカメラであってもよい。
【００７３】
上記実施の形態において、デジタル画像・音声処理部１２０およびコントローラ１３０は、各々上記のような機能および構成を有するものとして説明したが、各々の持つ機能および構成の一部が他方に含まれるような構成としてもよい。
【００７４】
上記実施の形態において、ＣＣＤイメージセンサ１４３を、撮像部の一例として説明したが、本発明はこれに限定されない。すなわち、ＣＭＯＳイメージセンサや、ＮＭＯＳイメージセンサなど他の撮像素子であっても本発明に適用可能である。
【産業上の利用可能性】
【００７５】
ここに開示される技術によれば、音声データの聴感上の品質を向上させる収音装置を提供することができるため、デジタルカメラ、ムービーカメラなどにも適用可能である。
【符号の説明】
【００７６】
１００  デジタルカメラ
１０２  デジタルカメラボディ
１１０  音声入力系
１１１  マイクロホン部
１１１Ｌ  マイクロホン
１１１Ｒ  マイクロホン
１１５  アナログ音声処理部
１２０  デジタル画像・音声処理部
１３０  コントローラ
１４０  画像入力系
１４３  ＣＣＤイメージセンサ
１５０  ＲＡＭ
１６０  外部記憶媒体
１７０  ＲＯＭ
１８０  操作部
１８１  レリーズ釦
１８３  電源スイッチ
１８４  モードダイヤル
１８５  中央釦
１８６  十字釦
１９０  表示部
１９５  スピーカー
３０１  交換レンズ
３１０  フォーカスレンズ
３１１  フォーカスレンズ駆動部
３１２  ズームレンズ
３１３  ズームレンズ駆動部
３１５  操作リング
３１６  絞り
３１７  絞り駆動部
３２０  レンズコントローラ
３２１  ＤＲＡＭ
３２２  フラッシュメモリ
３３０  レンズマウント
３４０  ボディマウント
【図１】
2013223105.tif 000003
【図２】
2013223105.tif 000004
【図３】
2013223105.tif 000005
【図４】
2013223105.tif 000006
【図５】
2013223105.tif 000007
【図６】
2013223105.tif 000008
【図７】
2013223105.tif 000009
【図８】
2013223105.tif 000010